(57)【要約】【課題】  消火システム制御盤における急速排水部の制御動作を行う消火システム制御盤において、製造費用が安価である消火システム制御盤を提供することを目的とするものである。【解決手段】  消火剤蓄積槽と、原液阻止弁と、加圧送水装置と、混合装置と、流水検知装置と、閉鎖型泡ヘッドとを具備する消火システムにおいて、火災信号と放水信号とが同時に発生した場合に、原液阻止弁を制御する処理を、コンピュータに実行させるプログラムによって実現する消火システム制御盤であり、また、そのプログラムを格納しているメモリとＣＰＵとを有する消火システム制御盤である。【選択図】  図１
2006285677.tif 000002
【特許請求の範囲】
【請求項１】
消火剤蓄積槽と、原液阻止弁と、加圧送水装置と、混合装置と、流水検知装置と、閉鎖型泡ヘッドとを具備する消火システムを制御するプログラムにおいて、
火災信号の発生を検出し、記憶装置に記憶する火災信号検出手順と；
上記閉鎖型泡ヘッドが発生した放水信号を検出し、記憶装置に記憶する放水信号検出手順と；
上記火災信号と上記放水信号とが同時に発生した場合に、上記原液阻止弁を制御する原液阻止弁制御手順と；
をコンピュータに実行させるプログラム。
【請求項２】
消火剤蓄積槽と、原液阻止弁と、加圧送水装置と、混合装置と、流水検知装置と、閉鎖型泡ヘッドとを具備する消火システムにおいて、
火災信号の発生を検出し、記憶装置に記憶する火災信号検出手順と、上記閉鎖型泡ヘッドが発生した放水信号を検出し、記憶装置に記憶する放水信号検出手順と、上記火災信号と上記放水信号とが同時に発生した場合に、上記原液阻止弁を制御する原液阻止弁制御手順とをコンピュータに実行させるプログラムを格納しているメモリと；
上記メモリに格納されているプログラムを実行するＣＰＵと；
上記原液阻止弁を制御する原液阻止弁制御手段と；
を有することを特徴とする消火システム制御盤。
【請求項３】
消火剤蓄積槽と、原液阻止弁と、加圧送水装置と、混合装置と、急速排水部と、流水検知装置と、閉鎖型泡ヘッドとを具備する消火システムを制御するプログラムにおいて、
火災信号の発生を検出し、記憶装置に記憶する火災信号検出手順と；
上記閉鎖型泡ヘッドが発生した放水信号を検出し、記憶装置に記憶する放水信号検出手順と；
上記火災信号と上記放水信号とが同時に発生した場合に、上記急速排水部を制御する急速排水部制御手順と；
をコンピュータに実行させるプログラム。
【請求項４】
消火剤蓄積槽と、原液阻止弁と、加圧送水装置と、混合装置と、急速排水部と、流水検知装置と、閉鎖型泡ヘッドとを具備する消火システムにおいて、
火災信号の発生を検出し、記憶装置に記憶する火災信号検出手順と、上記閉鎖型泡ヘッドが発生した放水信号を検出し、記憶装置に記憶する放水信号検出手順と、上記火災信号と上記放水信号とが同時に発生した場合に、上記急速排水部を制御する急速排水部制御手順とをコンピュータに実行させるプログラムを格納しているメモリと；
上記メモリに格納されているプログラムを実行するＣＰＵと；
上記急速排水部を制御する急速排水部制御手段と；
を有することを特徴とする消火システム制御盤。
【請求項５】
請求項３において、
上記急速排水部制御手順は、上記急速排水弁を開いてから閉じるまでの時間を設定する開時間設定手順を具備する手順であることを特徴とするプログラム。
【請求項６】
請求項４において、
上記急速排水部制御手順は、上記急速排水弁を開いてから閉じるまでの時間を設定する開時間設定手順を具備する手順であることを特徴とする消火システム制御盤。
【発明の詳細な説明】
【技術分野】
【０００１】
本発明は、消火システム制御盤における原液阻止弁の制御動作を、ＡＮＤ処理し、また、急速排水部の制御動作をＡＮＤ処理するプログラムおよび消火システム制御盤に関する。
【背景技術】
【０００２】
従来の消火システム制御盤において、「原液阻止弁」、「急速排水部」を制御する場合、消火システム制御盤の放水信号と、火災受信機の階別火災信号とがともに発生したときに、連動制御を行う。
【０００３】
図６は、従来の消火システム２００を示す図である。
【０００４】
従来の消火システム２００は、消火システム制御盤２０を有し、消火システム制御盤２０は、原液阻止弁の制御部分２１を有し、原液阻止弁の制御部分２１は、ＡＮＤ回路２１２と、自己保持回路２１３と、盤内中継器２１４、２１５、２１６とを有する。
【０００５】
従来の消火システム２００では、火災信号の発生を検出し、しかも、閉鎖型泡ヘッド消火放水で発生した放水信号を検出したときに、原液阻止弁３０１を制御し、この場合、ＯＲ回路２１１、ＡＮＤ回路２１２、自己保持回路２１３等にリレー等の回路素子を組み合わせ、ハードウェアを使用している。
【０００６】
図７は、従来の消火システム２００の他の例を示す図である。
【０００７】
従来の消火システム２００における消火システム制御盤２０は、急速排水部の制御部分２２を有し、この急速排水部の制御部分２２は、ＯＲ回路２２１と、ＡＮＤ回路２２２と、自己保持回路２２３と、盤内中継器２２４、２２５と、タイマリレーＴＲ１、ＴＲ２，ＴＲ３と、盤内中継器２２６、２２７、２２８とを有する。また、盤内中継器２２６、２２７、２２８は、それぞれ中継器を介して、急速排水部４０１、４０２、４０３に接続されている。
【０００８】
従来の消火システム２００において、原液阻止弁の場合と同様に、ＯＲ回路２２１、ＡＮＤ回路２２２、自己保持回路２２３等を、リレー等の回路素子を組み合わせて構成しているとともに、急速排水部を制御する場合、上記急速排水部を開いて、配管中に溜まっている水を排出してから所定時間が経過した後に、原液（消火剤）が無駄に排出されることを阻止するために、その急速排水部を閉じる必要がある。そして、上記所定時間を管理するために、制御出力部にタイマリレーＴＲ１、ＴＲ２、ＴＲ３を用いている（たとえば、特許文献１参照）。
【特許文献１】特開平１０−０２４１１９号公報
【発明の開示】
【発明が解決しようとする課題】
【０００９】
従来の消火システムにおいて、火災信号の発生を検出し、しかも、上記閉鎖型泡ヘッドが発生した放水信号を検出したときに、原液阻止弁を制御する場合、ＯＲ回路２１１、ＡＮＤ回路２１２、自己保持回路２１３や盤内中継器２１４〜２１６のハードウェアを使用しているので、ハードウェア費用、配線費用等が高く、消火システム制御盤の全体が高価であるという問題がある。
【００１０】
また、従来例では、急速排水部制御用に使用しているＯＲ回路２２１、ＡＮＤ回路２２２、自己保持回路２２３、盤内中継器２２４〜２２８、タイマリレーＴＲ１、ＴＲ２、ＴＲ３のコストが高いので、消火システム制御盤の全体が高価であるという問題がある。
【００１１】
本発明は、消火システム制御盤における原液阻止弁の制御動作を行う消火システム制御盤において、簡便で製造費用が安価である消火システム制御盤を提供することを目的とするものである。
【００１２】
また、本発明は、消火システム制御盤における急速排水部の制御動作を行う消火システム制御盤において、簡便で製造費用が安価である消火システム制御盤を提供することを目的とするものである。
【課題を解決するための手段】
【００１３】
請求項１、２、５記載の発明は、消火剤蓄積槽と、原液阻止弁と、加圧送水装置と、混合装置と、流水検知装置と、閉鎖型泡ヘッドとを具備する消火システムにおいて、火災信号と放水信号とが同時に発生した場合に、原液阻止弁を制御する処理を、コンピュータに実行させるプログラムによって実現する消火システム制御盤であり、また、そのプログラムを格納しているメモリとＣＰＵとを有する消火システム制御盤である。
【００１４】
請求項３、４、６記載の発明は、消火剤蓄積槽と、原液阻止弁と、加圧送水装置と、混合装置と、急速排水部と、流水検知装置と、閉鎖型泡ヘッドとを具備する消火システムにおいて、火災信号と放水信号とが同時に発生した場合に、急速排水制御する処理を、コンピュータに実行させるプログラムによって実現する消火システム制御盤であり、また、そのプログラムを格納しているメモリとＣＰＵとを有する消火システム制御盤である。
【発明の効果】
【００１５】
本発明によれば、消火システム制御盤において、従来の消火システム制御盤よりも簡便で製造費用が安価であるという効果を奏する。
【発明を実施するための最良の形態】
【００１６】
発明を実施するための最良の形態は、以下の実施例である。
【実施例１】
【００１７】
図１は、本発明の実施例１である消火システム制御盤１０が使用されている消火システム１００を示す図である。
【００１８】
消火システム１００は、防災センタＣＴ１と、中継器Ｃ１、Ｃ２、Ｃ３、Ｃ４と、火災感知器ＳＥ１と、加圧送水装置２０と、噴霧消火剤貯蓄タンクユニット３０と、急速排水部４０と、流水検知装置（スプリンクラバルブ）Ｂ１と、閉鎖型泡ヘッドＳＨ１と、感熱開放継手ＣＮ１と、開放型泡ヘッドＳＨ２と、補助放水栓ＳＣ１とを有する。
【００１９】
防災センタＣＴ１は、消火システム制御盤１０と、火災受信機ＲＥとを有する。加圧送水装置２０は、起動用水圧開閉装置２１と、ポンプ制御盤２２と、加圧送水装置（ポンプ）Ｐ１と、制御弁Ｂ３とを有する。
【００２０】
噴霧消火剤貯蓄タンクユニット３０は、消火剤貯蓄槽３１と、原液阻止弁３２と、モータ３３と、手動操作弁３４と、混合装置Ｍとを有であるので、通常監視時に、閉鎖型泡ヘッドまで水が入っており、つまり、加圧送水装置２０から閉鎖型泡ヘッドＳＨ１までの間である配管に水が満たされている。また、上記配管の水が消火剤貯蓄槽３１に逆流することを防ぐために、水が入る逆止弁（原液阻止弁３２）を設け、通常は、閉として両方向で流体が通ることを阻止する。消火時に、消火剤貯蓄槽３１から混合装置Ｍに消火剤（原液）が進むように、原液阻止弁を開く。
【００２１】
急速排水部４０は、遠隔開放弁４１を有し、消火時に、最初配管内に充満されている水を早く排水し、泡消火剤を噴射するために、遠隔開放弁４１を開放し、配管内の水を急速排出させ、そして水が排出されると遠隔開放弁４１を閉止する。
【００２２】
次に、消火システム制御盤１０の動作について説明する。
【００２３】
図２は、本発明の実施例１である消火システム１００における消火システム制御盤１０の原液阻止弁の制御部分１１を示す図である。
【００２４】
消火システム制御盤１０は、原液阻止弁の制御部分１１を有し、この原液阻止弁の制御部分１１は、ＯＲ処理部１１１と、ＡＮＤ処理部１１２とを有し、ソフトウェア処理が行われる部分である。実際には、図３に示すフローチャートに対応するプログラムが所定のＲＯＭに格納され、このプログラムを、図示しないＣＰＵが実行することによって、ＯＲ処理部１１１と、ＡＮＤ処理部１１２とを実現する。
【００２５】
図３は、消火システム制御盤１０における原液阻止弁の制御部分１１の動作を示すフローチャートである。
【００２６】
まず、消火システム制御盤１０に、火災感知器ＳＥ１の火災検出による火災受信機ＲＥからの火災階別信号が入力されると、この入力された火災階別信号を、図示しない記憶装置に記憶し（Ｓ１）、閉鎖型泡ヘッドＳＨ１消火放水信号の有無を調べ（Ｓ２）、閉鎖型泡ヘッドＳＨ１消火放水信号があれば、図示しない記憶装置に記憶し、原液阻止弁３２の開放制御を実行する（Ｓ３）。
【００２７】
なお、上記「原液阻止弁開放制御」は、原液阻止弁３２を開き、消火剤貯蓄槽３１から原液（消火剤）が混合装置Ｍに進むことを許容する制御である。
【００２８】
火災階別信号が入力されなければ（Ｓ１）、単独モードの入力の有無を調べる（Ｓ４）。なお、上記「単独モード」は、火災受信機が故障したときや、火災信号の遮断が行われたとき等に、消火システム制御盤が火災信号を受信することができない場合、単独モードとなる。単独モード中は、火災信号を受信しなくても閉鎖型泡ヘッドの作動（２次圧低下）によって関連バルブの起動制御を行う。上記単独モードの入力があれば（Ｓ４）、閉鎖型泡ヘッド消火放水信号の有無を調べ（Ｓ２）、閉鎖型泡ヘッド消火放水信号があれば、原液阻止弁開放制御を実行する（Ｓ３）。
【００２９】
単独モード入力がなければ（Ｓ４）、火災断定入力の有無を調べ（Ｓ５）、火災断定入力があれば（人間が火災信号を入力すれば）（Ｓ５）、閉鎖型泡ヘッド消火放水信号の有無を調べ（Ｓ２）、閉鎖型泡ヘッド消火放水信号があれば、原液阻止弁開放制御を実行する（Ｓ３）。なお、火災断定入力は、現場確認において火災発生が確認されたときに、消火システム制御盤１０の盤面から行うスイッチ等の選択による入力である。
【００３０】
単独モード入力が無く（Ｓ４）、火災断定入力がなければ（Ｓ５）、Ｓ１に戻る。
【００３１】
つまり、実施例１において、火災階別信号の入力があり（Ｓ１）しかも泡ヘッド消火放水信号がある（Ｓ２）ことを判断することによって、ＡＮＤ処理を行い、また、単独モード入力があり（Ｓ４）しかも泡ヘッド消火放水信号がある（Ｓ２）ことを判断することによって、ＡＮＤ処理を行い、さらに、火災断定入力があり（Ｓ５）しかも泡ヘッド消火放水信号がる（Ｓ２）ことを判断することによって、ソフトウェア的にＡＮＤ処理を実行している。
【００３２】
また、実施例１において、火災階別信号の入力があり（Ｓ１）しかも泡ヘッド消火放水信号がある（Ｓ２）ことによるＡＮＤ処理と、単独モード入力があり（Ｓ４）しかも泡ヘッド消火放水信号がある（Ｓ２）ことによるＡＮＤ処理と、火災断定入力があり（Ｓ５）しかも泡ヘッド消火放水信号がある（Ｓ２）ことによるＡＮＤ処理とのうちのいずれかの条件を満足した場合に、原液阻止弁３２を開放制御することによって、ソフトウェア的にＯＲ処理を実行している。
【００３３】
なお、消火システム制御盤１０の基本的な動作として、火災階別信号の入力に基づいて、該当する階の流水検知装置Ｂ１の開放制御を行い、上記原液阻止弁３２開放制御のＡＮＤ処理の要否については、中継器Ｃ３、Ｃ４に接続する機器毎にアドレスをデータベースとして設定し、アドレスに機器種別のデータを対応させておくことによって、通常の流水検知装置Ｂ１の開放制御であるのか、原液阻止弁の制御部分１１に該当する制御動作であるのかを、データベースに基づいて区別することができる。
【００３４】
上記実施例１によれば、消火システム制御盤における原液阻止弁の制御動作を行う消火システム制御盤において、従来の消火システム制御盤よりも製造費用が安価である。
【００３５】
つまり、実施例１は、消火剤蓄積槽と、原液阻止弁と、加圧送水装置と、混合装置と、流水検知装置と、閉鎖型泡ヘッドとを具備する消火システムを制御するプログラムにおいて、火災信号の発生を検出し、記憶装置に記憶する火災信号検出手順と、上記閉鎖型泡ヘッドが発生した放水信号を検出し、記憶装置に記憶する放水信号検出手順と、上記火災信号と上記放水信号とが同時に発生した場合に、上記原液阻止弁を制御する原液阻止弁制御手順とをコンピュータに実行させるプログラムの例である。
【００３６】
また、実施例１は、消火剤蓄積槽と、原液阻止弁と、加圧送水装置と、混合装置と、流水検知装置と、閉鎖型泡ヘッドとを具備する消火システムにおいて、火災信号の発生を検出し、記憶装置に記憶する火災信号検出手順と、上記閉鎖型泡ヘッドが発生した放水信号を検出し、記憶装置に記憶する放水信号検出手順と、上記火災信号と上記放水信号とが同時に発生した場合に、上記原液阻止弁を制御する原液阻止弁制御手順とをコンピュータに実行させるプログラムを格納しているメモリと、上記メモリに格納されているプログラムを実行するＣＰＵと、上記原液阻止弁を制御する原液阻止弁制御手段とを有する消火システム制御盤の例である。
【実施例２】
【００３７】
図４は、本発明の実施例２として、上記実施例１と同様に、消火システム１００における消火システム制御盤１０の急速排水部の制御部分１２を示す図である。
【００３８】
消火システム制御盤１０は、急速排水部の制御部分１２を有し、この急速排水部の制御部分１２は、ＯＲ処理部１１１と、ＡＮＤ処理部１１２と、オフディレータイマ処理部１２３とを有し、ソフトウェア処理が行われる部分である。実際には、図５に示すフローチャートに対応するプログラムが処理のＲＯＭに格納され、このプログラムを、図示しないＣＰＵが実行することによって、ＯＲ処理部１１１と、ＡＮＤ処理部１１２と、オフディレータイマ処理部１２３を実現する。
【００３９】
消火システム制御盤１０は、急速排水部を制御する急速排水部制御手段の例であり、急速排水部制御手段は、急速排水部の開閉制御および開から閉までの時間を設定する手段である。
【００４０】
図５は、消火システム制御盤１０における急速排水部の制御部分１２の制御動作を示すフローチャートである。
【００４１】
Ｓ１、Ｓ２、Ｓ４、Ｓ５の動作は、図３に示すフローチャートにおけるＳ１、Ｓ２、Ｓ４、Ｓ５の動作と同じである。
【００４２】
Ｓ２で、閉鎖型泡ヘッド消火放水信号が出力されていれば、データベースＡＮＤ登録がされているかどうかを調べ、すなわち、データベースに急速排水部（４０１〜４０３のいずれか）は、上記閉鎖型泡ヘッドとの間で連動制御の関係が組まれていたか否かを調べ（Ｓ１１）、データベースＡＮＤ登録がされていなければ、Ｓ１に戻る。
【００４３】
データベースＡＮＤ登録がされていれば、急速排水部４０の開放制御によって、配管に最初溜まっている水の開放制御を行い（Ｓ１２）、開放時間設定値（オフディレータイマによって設定されている時間）を経過しているかどうかを調べ（Ｓ１３）、開放時間設定値を経過すれば、急速排水部復帰制御を行う（Ｓ１４）。
【００４４】
上記「急速排水部復帰制御」は、急速排水部４０を制御する場合、上記急速排水部４０を開いて、配管中に溜まっている水を排出してから所定時間が経過した後に、原液（消火剤）が無駄に排出されることを阻止するために、その急速排水部４０を閉じる制御である。
【００４５】
上記実施例２は、急速排水部４０がオフディレー制御する場合、タイマリレーＴＲ１、ＴＲ２、ＴＲ３を使用する代わりに、ソフトウェアで制御し、たとえば、ＤＢツールまたはＬＣＤでパスワードを入力した後に、設定時間（オフディレー時間）を登録する消火システム制御盤である。
【００４６】
なお、急速排水部４０の起動および復帰制御についても、データベースとしてアドレスに対応して機器種別を設定することによって、基本的な動作と区別されている。
【００４７】
実施例２によれば、消火システム制御盤１０における急速排水部の起動および復帰制御を行う消火システム制御盤において、従来の消火システム制御盤よりも簡便で製造費用が安価である。
【００４８】
つまり、実施例２は、消火剤蓄積槽と、原液阻止弁と、加圧送水装置と、混合装置と、流水検知装置と、閉鎖型泡ヘッドとを具備する消火システムを制御するプログラムにおいて、火災信号の発生を検出し、記憶装置に記憶する火災信号検出手順と、上記閉鎖型泡ヘッドが発生した放水信号を検出し、記憶装置に記憶する放水信号検出手順と、上記火災信号と上記放水信号とが同時に発生した場合に、上記急速排水部を制御する急速排水部制御手順とをコンピュータに実行させるプログラムの例である。
【００４９】
なお、上記急速排水部制御手順は、上記急速排水部の開閉制御および開から閉までの時間を設定する手順である。
【００５０】
また、実施例２は、消火剤蓄積槽と、原液阻止弁と、加圧送水装置と、混合装置と、流水検知装置と、閉鎖型泡ヘッドとを具備する消火システムにおいて、火災信号の発生を検出し、記憶装置に記憶する火災信号検出手順と、上記閉鎖型泡ヘッドが発生した放水信号を検出し、記憶装置に記憶する放水信号検出手順と、上記火災信号と上記放水信号とが同時に発生した場合に、上記急速排水部を制御する急速排水部制御手順とをコンピュータに実行させるプログラムを格納しているメモリと、上記メモリに格納されているプログラムを実行するＣＰＵと、上記急速排水部を制御する急速排水部制御手段とを有する消火システム制御盤の例である。
【図面の簡単な説明】
【００５１】
【図１】本発明の実施例１である消火システム制御盤１０が使用されている消火システム１００を示す図である。
【図２】本発明の実施例１である消火システム１００における消火システム制御盤１０の原液阻止弁の制御部分１１を示す図である。
【図３】消火システム制御盤１０における原液阻止弁の制御部分１１の動作を示すフローチャートである。
【図４】本発明の実施例２である消火システム１００における消火システム制御盤１０の急速排水部の制御部分１２を示す図である。
【図５】消火システム制御盤１０における急速排水部の制御部分１２の制御動作を示すフローチャートである。
【図６】従来の消火システム２００を示す図である。
【図７】従来の消火システム２００の他の例を示す図である。
【符号の説明】
【００５２】
１００…消火システム、
１０…消火システム制御盤、
１１…原液阻止弁の制御部分、
１１１…ＯＲ処理部、
１１２…ＡＮＤ処理部、
１２…急速排水部の制御部分、
１２３…オフディレータイマ処理部、
２０…加圧送水装置、
３０…噴霧消火剤蓄積タンクユニット、
３１…消火剤蓄積槽、
３２…原液阻止弁、
３３…モータ、
４０…急速排水部、
４１…遠隔開放弁、
ＳＥ１…火災感知器、
ＳＨ１…閉鎖型泡ヘッド、
ＳＨ２…開放型泡ヘッド。
【図１】
2006285677.tif 000003
【図２】
2006285677.tif 000004
【図３】
2006285677.tif 000005
【図４】
2006285677.tif 000006
【図５】
2006285677.tif 000007
【図６】
2006285677.tif 000008
【図７】
2006285677.tif 000009